(57)【特許請求の範囲】
【請求項１】
吐水口が設けられかつ前記吐水口に給水源からの水を導く給水管を収容した吐水管と、
発光部が下方に露出した状態で前記吐水管内に配される発光部材と、を備えた吐水装置であって、
前記発光部材を前記給水管の側方に保持する保持部が、前記吐水管に設けられ、
前記吐水管は、互いに重ねられることで一体化するカバーと、吐水部材とを備え、
前記保持部には、前記カバーと前記吐水部材とのうちの一方に設けられ、かつ前記発光部材を前記カバーと前記吐水部材とが互いに重なる前記吐水管の厚み方向に対して交差する方向に沿ってスライドさせることで、前記発光部材を保持して前記吐水管に前記発光部材を取り付けるスライド保持部が設けられ、
前記吐水部材は、平板状に形成された部材本体と、ホース取付部とを一体に備えており、前記吐水口は、前記吐水管の幅方向の中央に設けられ、前記保持部は、前記吐水管の幅方向の中央よりも一方の縁側に設けられ、前記ホース取付部には、前記給水管が連結しており、前記給水管は、前記ホース取付部に取り付けられていることで、前記給水管に対して前記保持部が前記吐水管の幅方向のみに並ぶように配置されていることを特徴とする、
吐水装置。
【発明の詳細な説明】
【技術分野】
【０００１】
本発明は、吐水口が設けられかつ発光部材が取り付けられた吐水管を備えた吐水装置に関する。
【背景技術】
【０００２】
従来から、吐水装置として、吐水口と人体の手などの被検知物を検知する検知センサと発光部材としてのＬＥＤを取り付けた吐水管などを備えた吐水装置（例えば、特許文献１）が用いられている。吐水口は、吐水管の下方に水を吐水する。ＬＥＤは、発光して、吐水管の下方を照らす。また、特許文献１に示された吐水装置は、給水ホース内の流路を開閉自在な弁としての電磁弁を備えている。
【０００３】
特許文献１に示された吐水装置は、吐水管が吐水口に上水道などの給水源からの水を導く給水ホースを収容して、給水ホースと発光部材とを、給水管の厚み方向に重ねて配置している。特許文献１に示された吐水装置は、検知センサが被検知物を検知すると、電磁弁が開くとともに、ＬＥＤが発光して、人体の手などの被検知物に向けて水を吐水するとともに被検知物を照らす。
【先行技術文献】
【特許文献】
【０００４】
【特許文献１】特開２００３−２９３４０７号公報
【発明の概要】
【発明が解決しようとする課題】
【０００５】
ところで、特許文献１に記載されている吐水装置は、給水ホースとＬＥＤとを吐水管の厚み方向に重ねているために、吐水管の厚みが増加して、大型化する傾向であった。
【０００６】
本発明は、上記の事情に鑑みてなされたものであって、吐水管の厚みを抑制することができる吐水装置を提供することを目的とする。
【課題を解決するための手段】
【０００７】
上記目的を達成するために、本発明に係る吐水装置は、吐水口が設けられかつ前記吐水口に給水源からの水を導く給水管を収容した吐水管と、発光部が下方に露出した状態で前記吐水管内に配される発光部材と、を備えた吐水装置であって、前記発光部材を前記給水管の側方に保持する保持部が、前記吐水管に設けられ、前記吐水管は、互いに重ねられることで一体化するカバーと、吐水部材とを備え、前記保持部には、前記カバーと前記吐水部材とのうちの一方に設けられ、かつ前記発光部材を前記カバーと前記吐水部材とが互いに重なる前記吐水管の厚み方向に対して交差する方向に沿ってスライドさせることで、前記発光部材を保持して前記吐水管に前記発光部材を取り付けるスライド保持部が設けられ、前記吐水部材は、平板状に形成された部材本体と、ホース取付部とを一体に備えており、前記吐水口は、前記吐水管の幅方向の中央に設けられ、前記保持部は、前記吐水管の幅方向の中央よりも一方の縁側に設けられ、前記ホース取付部には、前記給水管が連結しており、前記給水管は、前記ホース取付部に取り付けられていることで、前記給水管に対して前記保持部が前記吐水管の幅方向のみに並ぶように配置されていることを特徴とする。
【０００８】
前記吐水装置では、発光部材を給水管の側方に保持する保持部を吐水管に設けているので、吐水管内において、給水管と発光部材とが厚み方向に重なることを防止できる。よって、吐水管の厚みを抑制して、吐水管の小型化を図ることができる。
【発明の効果】
【００１０】
本発明に係る吐水装置は、発光部材を給水管の側方に保持する保持部を吐水管に設けて、給水管と発光部材とが厚み方向に重なることを防止できるので、吐水管の厚みを抑制することができる。
【図面の簡単な説明】
【００１１】
【図１】図１は、実施形態に係る吐水装置を示す斜視図である。
【図２】図２は、実施形態に係る吐水装置の先端部を下方からみた斜視図である。
【図３】図３は、図１中のＩＩＩ−ＩＩＩ線に沿う断面図である。
【図４】図４は、図１中のＩＶ−ＩＶ線に沿う断面図である。
【図５】図５は、実施形態に係る吐水装置を分解して示す斜視図である。
【図６】図６は、実施形態に係る吐水装置の構成を示すブロック図である。
【図７】図７は、実施形態に係る吐水装置の吐水部材の斜視図である。
【図８】図８は、実施形態に係る吐水装置の吐水部材の側面図である。
【発明を実施するための形態】
【００１２】
以下に、本発明に係る吐水装置の実施形態を図面に基づいて詳細に説明する。なお、この実施形態によりこの発明が限定されるものではない。また、下記実施形態における構成要素には、当業者が置換可能かつ容易なもの、或いは実質的に同一のものが含まれる。
【００１３】
図１は、実施形態に係る吐水装置を示す斜視図、図２は、実施形態に係る吐水装置の先端部を下方からみた斜視図、図３は、図１中のＩＩＩ−ＩＩＩ線に沿う断面図、図４は、図１中のＩＶ−ＩＶ線に沿う断面図、図５は、実施形態に係る吐水装置を分解して示す斜視図、図６は、実施形態に係る吐水装置の構成を示すブロック図、図７は、実施形態に係る吐水装置の吐水部材の斜視図、図８は、実施形態に係る吐水装置の吐水部材の側面図である。
【００１４】
図１、図２などに示す実施形態の吐水装置１は、典型的には、住宅に設置される住宅設備機器としてのトイレ手洗２の手洗器の外縁部３上に設けられる。なお、本発明でいう住宅設備機器とは、勿論、住宅内に設置されて、この住宅の給水にかかる各種の給水機器などの設備機器をいい、具体的には、トイレ、トイレ手洗、洗面化粧台、洗面台、浴室、キッチンなどをいう。トイレ手洗２の手洗器の底部には、排水用の配管が接続している。
【００１５】
吐水装置１は、図１、図２及び図３などに示すように、吐水管４と、弁としての電磁弁１０（図６に示す）と、検知センサ１１と、発光部材としてのＬＥＤ（Light Emitting Diode）９と、制御部としての制御装置１２（図６に示す）とを備えている。
【００１６】
吐水管４は、図３、図４及び図５などに示すように、カバー１３と、キャップ部材１４と、吐水部材１５とを備えている。カバー１３は、表面に鍍金などが施された金属で構成され、かつ先端１３ａと基端１３ｂとの双方に開口１６ａ（図中には、先端１３ａに設けられた開口１６ａのみ示す）が設けられた筒状（本実施形態では、四角筒状）に形成されている。カバー１３は、基端１３ｂがトイレ手洗２の手洗器の外縁部３に取り付けられ、かつ先端１３ａがトイレ手洗２の手洗器の底部と平行となるように、中央部が湾曲している。また、カバー１３の手洗器の底部と相対する外周面１３ｃには、開口部１６ｂが設けられている。開口部１６ｂは、カバー１３の先端１３ａ寄りの箇所（先端部）に設けられ、かつ外周面１３ｃを貫通しているとともに、平面形状が矩形状に形成されている。開口部１６ｂは、カバー１３の先端１３ａに設けられた開口１６ａと間隔をあけて設けられている。本実施形態では、開口部１６ｂと先端１３ａに設けられた開口１６ａとの間には、カバー１３を構成する壁の一部であるリブ１３ｄが設けられている。
【００１７】
なお、以下、カバー１３と吐水部材１５とが重なる方向を厚み方向Ｚと記し、厚み方向Ｚに対して直交しかつ後述のホース２７と平行な方向を長手方向Ｘと記し、厚み方向Ｚと長手方向Ｘとの双方に対して直交する方向を幅方向Ｙと記す。
【００１８】
キャップ部材１４は、金属で構成され、かつ塞ぎ部１７と被収容部１８とを一体に備えている。塞ぎ部１７は、開口１６ａの大きさと略等しい平板状に形成されている。塞ぎ部１７は、カバー１３の先端１３ａに密に接して、この先端１３ａ側の開口１６ａを塞ぐ。被収容部１８は、塞ぎ部１７がカバー１３の先端１３ａの開口１６ａを塞ぐと、カバー１３内に収容される。被収容部１８は、塞ぎ部１７の開口部１６ｂから離れた側の外縁からカバー１３の奥に向かって立設して、カバー１３の開口部１６ｂと相対する内面１３ｅ（図５に示す）に重ねられる。被収容部１８は、カバー１３の内面１３ｅにアーク溶接などの周知の溶接により固定されている。
【００１９】
また、キャップ部材１４の被収容部１８には、カバー１３に固定されると、開口部１６ｂに相対するねじ孔２０が設けられている。本実施形態では、ねじ孔２０は、カバー１３の幅方向Ｙに互いに間隔をあけて二つ設けられている。
【００２０】
吐水部材１５は、合成樹脂で構成され、図２、図３、図４、図５、図７及び図８に示すように、開口部１６ｂの大きさと略等しい厚手の平板状に形成された部材本体２１と、ホース取付部２２とを一体に備えている。部材本体２１即ち吐水部材１５は、開口部１６ｂのカバー１３の基端１３ｂ寄りの縁１６ｃに密に接して、開口部１６ｂを塞ぐ格好で、ねじ２６によりカバー１３に取り付けられる。部材本体２１の長手方向Ｘの中央には、丸形の吐水口２３が設けられ、吐水口２３よりもカバー１３の先端１３ａ側に検知センサ１１を取り付けるための矩形状のセンサ取付孔２４が設けられているとともに、吐水口２３よりもカバー１３の基端１３ｂ側に保持部２９が設けられている。吐水口２３とセンサ取付孔２４と保持部２９とは、部材本体２１を貫通している。このように、吐水部材１５に吐水口２３と保持部２９とが設けられていることで、吐水管４は、吐水口２３と保持部２９とが設けられている。
【００２１】
吐水口２３及びセンサ取付孔２４は、吐水部材１５の部材本体２１の幅方向Ｙの中央に設けられている。吐水口２３には、吐水する水を整流するフィルタ２８が設けられている。保持部２９は、部材本体２１の幅方向Ｙの一方の縁に設けられている。保持部２９は、部材本体２１の幅方向Ｙの一方の縁から部材本体２１の中央に向かって部材本体２１を切り欠いて構成されている。保持部２９の内面には、スライド保持部としてのスライド保持突起３０が設けられている。スライド保持突起３０は、図７及び図８に示すように、保持部２９の内面の厚み方向Ｚの中央から凸に形成され、幅方向Ｙに沿って直線状に延びている。スライド保持突起３０は、ＬＥＤ９の後述するフランジ３２，３３間に挟まれて、幅方向Ｙ即ち厚み方向Ｚに対して交差する方向に沿って、ＬＥＤ９を保持部２９の奥に向かって案内する。こうして、保持部２９が、ＬＥＤ９を幅方向Ｙに沿ってスライドさせて、ＬＥＤ９を保持して、吐水管４にＬＥＤ９が取り付けられる。
【００２２】
また、部材本体２１には、ねじ通し孔２５が設けられており、開口部１６ｂのカバー１３の基端１３ｂ寄りの縁１６ｃに密に接して、開口部１６ｂを塞ぐ格好に位置付けられると、ねじ通し孔２５は、ねじ孔２０に連通するようになっている。本実施形態では、ねじ通し孔２５は、部材本体２１即ち吐水部材１５の幅方向Ｙに間隔をあけて二つ設けられている。部材本体２１即ち吐水部材１５は、開口部１６ｂを塞ぐ格好に位置付けられた部材本体２１のねじ通し孔２５内を通されたねじ２６がねじ孔２０にねじ込まれることで、キャップ部材１４を介してカバー１３に取り付けられる。こうして、ねじ孔２０は、ねじ通し孔２５を通されたねじ２６がねじ込まれることで、キャップ部材１４に部材本体２１即ち吐水部材１５を固定する。こうして、カバー１３と吐水部材１５とは、厚み方向Ｚに互いに重ねられることで一体化する（互いに取り付けられる）。なお、開口部１６ｂのカバー１３の基端１３ｂ寄りの縁１６ｃは、部材本体２１が密に接することで、ねじ通し孔２５がねじ孔２０と連通する位置に、部材本体２１を位置決めする。また、部材本体２１は、前述したように、カバー１３に取り付けられると、前述した開口部１６ｂの基端１３ｂ寄りの縁１６ｃとリブ１３ｄとの間に挟まれる。
【００２３】
ホース取付部２２は、吐水口２３の周りからカバー１３の内側に立設した円筒状に形成されている。ホース取付部２２は、その中央部がカバー１３の基端１３ｂに向かって屈曲している。ホース取付部２２には、給水管としてのホース２７が連結している。このため、吐水口２３とホース２７とは、ホース取付部２２を介して、互いに連通している。ホース２７は、可撓性を有し、かつ給水源としての上水道５から水が供給されて、この水をホース取付部２２を介して吐水口２３に導く。ホース２７は、部材本体２１即ち吐水部材１５がカバー１３に取り付けられると、カバー１３即ち吐水管４内に収容される。また、ホース２７は、ホース取付部２２に取り付けているので、保持部２９即ちＬＥＤ９と幅方向Ｙに並べられる。
【００２４】
電磁弁１０は、図６に示すように、ホース２７と、上水道５に接続した給水管６との間に設けられている。電磁弁１０は、給水管６とホース２７とに亘る即ち上水道５からホース２７に亘る流路を開閉自在である。
【００２５】
検知センサ１１は、図２、図３及び図６に示すように、センサ取付孔２４を通して検知部１１ａが吐水管４の下方に露出する格好で、吐水部材１５の部材本体２１に取り付けられている。検知センサ１１は、周知の赤外線式、光電式などの検知センサを用いることができ、検知部１１ａの所定の検知エリア内に手などの人体の一部や各種の食器などの被検知物が侵入すると、この被検知物を検知する非接触式のセンサである。検知センサ１１は、検知した結果を制御装置１２に向かって出力する。
【００２６】
ＬＥＤ９は、図４及び図５に示すように、その発光部３１が保持部２９を通して吐水管４の下方に露出する格好で、吐水部材１５の部材本体２１に取り付けられて、カバー１３即ち吐水管４内に配される。ＬＥＤ９は、砲弾型の発光部３１と、この発光部３１の両端部から突出しかつ厚み方向Ｚに沿って間隔をあけて一対のフランジ３２，３３とを備えている。フランジ３２，３３は、それぞれ、発光部３１から先端１３ａ側と基端１３ｂ側との双方に突出した平板状に形成されている。フランジ３２，３３は、互いの間にスライド保持突起３０に挟み込んで、幅方向Ｙに沿ってスライドさせて、吐水部材１５の部材本体２１に取り付けられる。ＬＥＤ９は、制御装置１２からの命令により点灯、消灯する。
【００２７】
なお、検知センサ１１と制御装置１２とを接続する図示しないハーネスと、ＬＥＤ９と制御装置１２とを接続する図示しないハーネスは、テープなどによりホース２７に固定されて、カバー１３即ち吐水管４内に収容される。
【００２８】
制御装置１２は、図示しないＲＡＭ、ＲＯＭ、ＣＰＵ、入出力ポートなどを備えた演算装置である。制御装置１２の入力ポートには、少なくとも検知センサ１１が接続している。制御装置１２の出力ポートには、少なくとも電磁弁１０及びＬＥＤ９が接続している。制御装置１２は、検知センサ１１の検知情報に基づいて、吐水装置１全体の制御をつかさどる。
【００２９】
制御装置１２は、被検知物が近付いたことを検知センサ１１が検知すると、電磁弁１０を開くとともにＬＥＤ９を点灯し、検知センサ１１が被検知物を検知しなくなると、電磁弁１０を閉じるとともにＬＥＤ９を消灯する。
【００３０】
前述した構成の吐水装置１の吐水管４は、以下のように、組み立てられる。まず、吐水部材１５に検知センサ１１及びホース２７を予め取り付けておく。そして、吐水部材１５の部材本体２１に設けられた保持部２９とＬＥＤ９とを幅方向Ｙに沿って並べて、ＬＥＤ９を保持部２９の奥へ近づけていく。そして、ＬＥＤ９のフランジ３２，３３間にスライド保持突起３０を挟み、保持部２９の奥に向かってＬＥＤ９を幅方向Ｙに沿ってスライドさせる。保持部２９の奥にＬＥＤ９を挿入して、ＬＥＤ９を吐水部材１５の部材本体２１に取り付ける。こうして、保持部２９のスライド保持部３０が、ＬＥＤ９を厚み方向Ｚに対して交差する幅方向Ｙに沿ってＬＥＤ９をスライドさせて保持する。また、ホース取付部２２に取り付けられたホース２７が保持部２９と幅方向Ｙに並ぶので、保持部２９は、ＬＥＤ９をホース２７の側方に保持することとなる。
【００３１】
キャップ部材１４の被収容部１８をカバー１３の先端１３ａ側の開口１６ａ内に挿入する。そして、塞ぎ部１７をカバー１３の先端１３ａに密に接触させ、被収容部１８をカバー１３の内面１３ｅに重ねて、アーク溶接などの周知の溶接により、被収容部１８をカバー１３の内面１３ｅに溶接して固定する。
【００３２】
その後、ホース２７及びハーネスを開口部１６ｂを通してカバー１３内に挿入し、基端１３ｂ側の開口１６ａから取り出して、ホース２７及びハーネスをカバー１３内に収容する。その後、吐水部材１５の部材本体２１を開口部１６ｂ内に挿入して、部材本体２１で開口部１６ｂを塞いだ格好で、カバー１３と吐水部材１５とを厚み方向Ｚに重ねる。ねじ通し孔２５を通したねじ２６をねじ孔２０にねじ込んで、部材本体２１即ち吐水部材１５を、キャップ部材１４に固定し、キャップ部材１４を介してカバー１３に固定する。このように、カバー１３と吐水部材１５とを厚み方向Ｚに互いに重ねて一体化し、吐水管４にホース２７やＬＥＤ９などを収容する。
【００３３】
こうして、本実施形態の吐水管４が組み立てられる。このように組み立てられた吐水管４のカバー１３の基端１３ｂが手洗器の外縁部３に取り付けられるなどして、吐水装置１は組み立てられる。
【００３４】
前述した構成の吐水装置１は、検知センサ１１が被検知物を検知すると、制御装置１２が電磁弁１０を開いて吐水口２３から水を吐水させるとともに、制御装置１２が電磁弁１０を開いている間ＬＥＤ９を点灯して被検知物などを照らす。また、吐水装置１は、検知センサ１１が被検知物を検知しなくなると、制御装置１２が電磁弁１０を閉じて吐水口２３からの水を止水するとともに、制御装置１２がＬＥＤ９を消灯する。
【００３５】
上記のように構成された吐水装置１では、ＬＥＤ９をホース２７の側方に保持する保持部２９を吐水管４に設けているので、吐水管４内において、ホース２７とＬＥＤ９とが厚み方向Ｚに重なることを抑制できる。よって、吐水管４の厚みを抑制して、吐水管４の小型化を図ることができる。
【００３６】
保持部２９が、カバー１３と吐水部材１５とが互いに重なる厚み方向Ｚに対して交差する幅方向ＹにＬＥＤ９をスライドさせて保持するスライド保持突起３０を備えている。このために、カバー１３と吐水部材１５とを互いに取り付けて一体化すると、スライド保持突起３０により吐水管４からＬＥＤ９が脱落することを防止できる。
【００３７】
前述した実施形態では、住宅設備機器としてのトイレ手洗２を示しているが、本発明では、トイレ手洗２に限らず、種々の住宅設備機器に本発明の吐水装置１を用いて良い。
【００３８】
また、前述した実施形態では、検知センサ１１を吐水部材１５に取り付けたが、本発明では、吐水部材１５に吐水口２３が設けられていれば、検知センサ１１を吐水部材１５に取り付けなくても良い。この場合、吐水管４と別体に検知センサ１１を設けても良く、検知センサ１１を設けない場合には、電磁弁１０の替わりにホース２７内の流路を開閉する弁としての手動操作弁を設ける。さらに、本発明では、ＬＥＤ９以外の発光部材を用いても良い。また、本発明では、保持部２９は、ホース２７の側方であれば即ち厚み方向Ｚにホース２７と重ならない位置であれば、ホース２７と幅方向Ｙに並ぶ位置に限らず、種々の位置にＬＥＤ９を保持しても良い。また、本発明では、保持部２９のスライド保持部３０は、幅方向Ｙに限らず、厚み方向Ｚに対し交差する方向であれば、種々の方向に沿ってＬＥＤ９をスライドして保持しても良い。
【００３９】
なお、上述した本発明の実施形態に係る吐水装置１は、上述した実施形態に限定されず、特許請求の範囲に記載された範囲で種々の変更が可能である。
【符号の説明】
【００４０】
１  吐水装置
４  吐水管
５  上水道（給水源）
９  ＬＥＤ（発光部材）
１３  カバー
１５  吐水部材
２３  吐水口
２７  ホース（給水管）
２９  保持部
３０  スライド保持突起（スライド保持部）
３１  発光部
【図１】
0006018743.tif 000002
【図２】
0006018743.tif 000003
【図３】
0006018743.tif 000004
【図４】
0006018743.tif 000005
【図５】
0006018743.tif 000006
【図６】
0006018743.tif 000007
【図７】
0006018743.tif 000008
【図８】
0006018743.tif 000009